(57)【要約】【課題】  使用時の触感を向上すると共に保温効果が高いひざ掛けを提供する。【解決手段】  ひざ掛け１１は、第１保温層となるポリエチレンテレフタレート（ＰＥＴ）系のフリース層２３と、フリース層２３の外面側の面に形成された蒸着アルミニウム１４と、蒸着アルミニウム１４の外面側の全面に塗布された接着剤１８を介して接続された、第２保温層となるシール織層３０とから構成されている。フリース層２３には、遠赤外線を発生する特殊炭素やアルカリカンラン石粉末等が含侵されている。発生した遠赤外線は、内面側に放射されると共に外面側に放射された遠赤外線は蒸着アルミニウム１４の面で反射され内面側に向かう。したがって、ひざ掛け１１の内面側を使用者側にして使用すると、遠赤外線が集中的に使用者に向かうことになる。これによって、使用者の細胞が刺激されると共に血行促進が図られ、美肌効果や温熱効果が期待できる。【選択図】      図２
2010001571.tif 000002
【特許請求の範囲】
【請求項１】
ひざ掛けであって、
第１保温層と、
前記第１保温層の一方面に形成された蒸着アルミニウムと、
前記蒸着アルミニウムの外方面に形成された第２保温層とを備えた、ひざ掛け。
【請求項２】
前記第１保温層は、遠赤外線を発生する、請求項１記載のひざ掛け。
【請求項３】
前記第１保温層はフリース層であり、前記第２保温層はシール織層である、請求項２記載のひざ掛け。
【請求項４】
前記蒸着アルミニウムと前記第２保温層とは、島状に塗布された接着剤を介して接続される、請求項１から請求項３のいずれかに記載のひざ掛け。
【請求項５】
平面視において逆等脚台形形状を有する、請求項１から請求項４のいずれかに記載のひざ掛け。
【発明の詳細な説明】
【技術分野】
【０００１】
この発明はひざ掛けに関し、特に冬季や夏季の冷房時等に体を温めるために使用されるひざ掛けに関するものである。
【背景技術】
【０００２】
従来のひざ掛けは、綿、ポリエステル、アクリル、レーヨン、ウール、シルク等の素材のシートを単体で使用したり、あるいはこれらの混紡材を用いたり、これらを貼り合わせて使用したりするものである。
【０００３】
又、特許文献１に示すように、アルミ蒸着フィルムをフリースに貼り合わせた構成のひざ掛け等に用いられる断熱シートが提案されている。これによれば、断熱性能及び触感が向上するとされている。
【０００４】
更に、特許文献２に示すように、不織布等の基材に金属や酸化物をドライメッキで密着させたひざ掛けが提案されている。これによれば、蓄熱効果があるため薄手の生地でも十分保温効果を発揮するとされている。
【０００５】
更に、特許文献３に示すように、セラミックス粉末を有する層とアルミ箔とを貼り合せた構成の磁石−遠赤外線シートが提案されている。これによれば遠赤外線が発生して保温効果が高まるとされている。
【０００６】
更に、特許文献４に示すように、ひざ掛けの脚部を覆う部分に遠赤外線放射体層とアルミシートとを配置した羽毛入りのひざ掛けが提案されている。
【特許文献１】特開２００３−１６５１７１号公報
【特許文献２】特開２００１−３１７８８９号公報
【特許文献３】特開平２−７７２６９号公報
【特許文献４】実用新案登録第３０５９６４３号公報
【発明の開示】
【発明が解決しようとする課題】
【０００７】
上記のような従来の金属メッキ層等を有するひざ掛けにあっては、使用者の側にフリース層や織物、編物等の基材が接するように使用すれば、外方側にフィルム層や金属メッキ層が露出するため寒冷感のある外観となってしまう。又、フィルム層や金属メッキ層が剥がれる虞もある。一方、使用者の側にフィルム層や金属メッキ層が接するように使用すると、外方側がフリース層や織物、編物等の柔らかな基材となるので温暖感のある外観となるが、使用者にとっては触感が良いとは言えず、金属音が生じる場合には更に不快感を与えてしまう。又、羽毛等が入っているひざ掛けはその分暖かいが、重量的に重くなってしまい使い勝手が良いとは言えない。
【０００８】
この発明は、上記のような課題を解決するためになされたもので、軽量化が図られ、使用時の温暖感を常に確保しつつ触感を向上させると共に保温効果が高いひざ掛けを提供することを目的とする。
【課題を解決するための手段】
【０００９】
上記の目的を達成するために、請求項１記載の発明は、ひざ掛けであって、第１保温層と、第１保温層の一方面に形成された蒸着アルミニウムと、蒸着アルミニウムの外方面に形成された第２保温層とを備えたものである。
【００１０】
このように構成すると、両面が保温層となると共に、保温層のいずれかで発生した熱が蒸着アルミニウムの面で反射される。
【００１１】
請求項２記載の発明は、請求項１記載の発明の構成において、第１保温層は、遠赤外線を発生するものである。
【００１２】
このように構成すると、発生した遠赤外線は、第１保温層の外面側に放出されると共に第２保温層側に放出された遠赤外線は蒸着アルミニウムの面で反射される。
【００１３】
請求項３記載の発明は、請求項２記載の発明の構成において、第１保温層はフリース層であり、第２保温層はシール織層であるものである。
【００１４】
このように構成すると、両面の保温層の保温効果及び触感が異なるものとなる。
【００１５】
請求項４記載の発明は、請求項１から請求項３のいずれかに記載の発明の構成において、蒸着アルミニウムと第２保温層とは、島状に塗布された接着剤を介して接続されるものである。
【００１６】
このように構成すると、蒸着アルミニウムと第２保温層との間に空間が生じる。
【００１７】
請求項５記載の発明は、請求項１から請求項４のいずれかに記載の発明の構成において、平面視において逆等脚台形形状を有するものである。
【００１８】
このように構成すると、使用時に足先より腰周りの幅が広くなる。
【発明の効果】
【００１９】
以上説明したように、請求項１記載の発明は、両面が保温層となると共に、保温層のいずれかで発生した熱が蒸着アルミニウムの面で反射されるので、使用時の触感が向上すると共に使用者が発した熱は使用者側の保温層で保持され、保温効果が向上する。
【００２０】
請求項２記載の発明は、請求項１記載の発明の効果に加えて、発生した遠赤外線は、第１保温層の外面側に放出されると共に第２保温層側に放出された遠赤外線は蒸着アルミニウムの面で反射される。従って、第１保温層を使用者側に使用すると、使用者の血行促進が図られ温熱効果等も発揮される。又、このように使用すると使用者が発した熱の保持が第１保温層側でなされるため、保温効果が更に向上する。
【００２１】
請求項３記載の発明は、請求項２記載の発明の効果に加えて、両面の保温層の保温効果及び触感が異なるものとなるので、フリース層を使用者側に使用すると、保温効果がより高まると共に使用時の触感が向上する。
【００２２】
請求項４記載の発明は、請求項１から請求項３のいずれかに記載の発明の効果に加えて、蒸着アルミニウムと第２保温層との間に空間が生じるため、保温効果がより向上する。
【００２３】
請求項５記載の発明は、請求項１から請求項４のいずれかに記載の発明の効果に加えて、使用時に足先より腰周りの幅が広くなるので、足首まですっきりとして覆うことができるため使い勝手が向上する。
【発明を実施するための最良の形態】
【００２４】
図１はこの発明の第１の実施の形態によるひざ掛けの外観形状を示した平面図である。
【００２５】
図を参照して、ひざ掛け１１はシート状に形成され、平面視において逆等脚台形形状を有している。上底の寸法Ａは１４５ｃｍ、下底の寸法Ｂは９０ｃｍ、高さの寸法Ｈは９０ｃｍであり、その厚さは約５ｍｍに設定されている。尚、逆等脚台形形状のシート形状による特徴については後述する。
【００２６】
図２は図１で示したＩＩ−ＩＩラインの拡大断面図である。
【００２７】
図を参照して、ひざ掛け１１は、第１保温層となるポリエチレンテレフタレート（ＰＥＴ）系のフリース層２３と、フリース層２３の外面側の面に形成された蒸着アルミニウム１４と、蒸着アルミニウム１４の外面側の全面に塗布された接着剤１８を介して接続された、第２保温層となる綿素材のシール織層３０とから構成されている。尚、フリース層２３はＰＥＴ系であるため、蒸着アルミニウムとの密着性が高くひざ掛け１１の水洗いが可能となる。
【００２８】
フリース層２３は、布地部２１と、布地部２１の内面側を起毛させたフリース加工部２０とから構成されている。一方、シール織層３０は、基布部２８と、基布部２８に織り込まれ、外面側に延びるパイル部２７とから構成されている。したがって、蒸着アルミニウム１４は、フリース層２３の布地部２１の外面側の全面に形成されることになる。
【００２９】
フリース層２３には、遠赤外線を発生する特殊炭素やアルカリカンラン石粉末等が含侵されている。発生した遠赤外線は、内面側に放射されると共に外面側に放射された遠赤外線は蒸着アルミニウム１４の面で反射され内面側に向かう。したがって、ひざ掛け１１の内面側を使用者側にして使用すると、遠赤外線が集中的に使用者に向かうことになる。これによって、使用者の細胞が刺激されると共に血行促進が図られ、美肌効果や温熱効果が期待できる。
【００３０】
又、使用者の体温の内面側からの放出が蒸着アルミニウム１４で阻止され、その熱がフリース層２３で保持されるためフリース層２３の遠赤外線効果と相俟って保温効果がより向上する。更に、ひざ掛け１１の両外面はフリース層２３及びシール織層３０で覆われているため、触感が向上すると共にひざ掛け１１全体の保温効果をより高める。
【００３１】
尚、フリース層２３の厚みは０．５〜１０ｍｍが好ましく、３〜７ｍｍがより好ましい。又、シール織層３０の厚みは０．５〜１０ｍｍが好ましく、３〜７ｍｍがより好ましい。フリース層２３とシール織層３０とは薄すぎると保温効果が少なくなると共に触感が低下し、厚すぎると重くなり使い勝手が低下する。
【００３２】
又、蒸着アルミニウム１４の厚みは１０〜５００ｎｍが好ましく、３０〜２００ｎｍがより好ましい。蒸着アルミニウムは薄すぎると熱の反射効率が低く、厚すぎるとコスト的に不利となる。
【００３３】
次に、この実施の形態によるひざ掛けの使用状態について説明する。
【００３４】
図３は図１で示したひざ掛けの使用状態を示した概略斜視図である。
【００３５】
図を参照して、使用に際しては、図２に示したようにフリース層２３を内面側に配置し、図１に示したひざ掛け１１の上部の幅広の部分を腰側に下部の幅狭の部分を足首側にして使用者３３の体に巻きつける。そして、必要に応じて上部の一部を折り返す。これによって、従来の矩形シート形状のひざ掛けに比べて使用者３３の足首まですっきりとして覆うことができるので、使用勝手が向上すると共に保温効果がより向上する。又、ひざ掛け１１の外面は腰部の折り返し部を除いてシール織層３０となるので、視覚的に高級感が現れると共に使用時の触感がより向上する。
【００３６】
尚、上記の実施の形態では、フリース層はＰＥＴ系の素材を使用し、シール織層は綿の素材を使用しているが、これらは他の素材であっても保温層として機能するものであれば良い。
【００３７】
又、上記の実施の形態では、ひざ掛けの内面側にフリース層、外面側にシール織層を配置しているが、これらは逆であっても良い。あるいは、内面側及び外面側の保温層をフリース層及びシール織層のいずれかのみで構成するようにしても良い。これらの場合、内面側の保温層を遠赤外線を発生するように構成すればより効果的なひざ掛けとなる。
【００３８】
更に、上記の実施の形態では、フリース層は遠赤外線を発生するものを使用しているが、遠赤外線を発生しないフリース層を用いても良い。
【００３９】
更に、上記の各実施の形態では、シール織層は蒸着アルミニウムの全面に塗布された接着剤を介して接続されているが、接着剤を島状のように部分的に塗布しても良い。このように構成すると、シール織層と蒸着アルミニウムとの間に空間が形成されるため、保温効果がより向上する。又、接着剤に代えて、縫製や熱接着等を用いてこれらを接続しても良い。
【００４０】
更に、上記の実施の形態では、ひざ掛けは平面視において逆等脚台形形状を有しているが、単に矩形シート形状を有したものであっても良い。
【図面の簡単な説明】
【００４１】
【図１】図１はこの発明の第１の実施の形態によるひざ掛けの外観形状を示した平面図である。
【図２】図２は図１で示したＩＩ−ＩＩラインの拡大断面図である。
【図３】図３は図１で示したひざ掛けの使用状態を示した概略斜視図である。
【符号の説明】
【００４２】
１１…ひざ掛け
１４…蒸着アルミニウム
１８…接着剤
２３…フリース層
３０…シール織層
尚、各図中同一符号は同一又は相当部分を示す。
【図１】
2010001571.tif 000003
【図２】
2010001571.tif 000004
【図３】
2010001571.tif 000005